(57)【要約】      （修正有）【課題】チューブ内の充填液体食品の圧力を陽圧に維持し、成形用フラップによる予備成形を容易にし、液体食品圧力の変動にって液体食品圧力が下がっても、陰圧へ下降することを防止して、チューブへ外部雰囲気物質が侵入することを防止することができる包装充填装置を提供する。【解決手段】ウェブ状包装材料１から包装容器を製造する包装充填装置であって、充填パイプ７に設けられたプレシャーフランジ３６を有し、チューブ外周面と接触して、プレシャーフランジ３６と同じ位置若しくはその下方に設けられ、チューブの振動を緩和若しくは抑制するチューブ振動緩和手段５０を有して、液体食品圧力の陰圧への下降を止めてチューブへの外部雰囲気物質の侵入を防止する。【選択図】図１
2010274971.tif 000002
【特許請求の範囲】
【請求項１】
ウェブ状包装材料に次のウェブ状包装材料を継ぎ目で継いで該ウェブ状包装材料を連続的に供給し、チューブ状に成形し、該包装材料の両端部で重ね合わされたチューブの縦線方向に縦シールし、垂直に下方に連続的に搬送されるチューブ状包装材料内に充填パイプから液体食品を、該充填パイプ出口上方の所定位置の液面レベルまで充填し、該液面下で該チューブ横断方向にシールジョー及びカウンタージョーで該チューブを挟んで引き下ろす間に横シールし、該チューブを同時に成形用フラップで挟んで予備成形し、該横シール帯域で切断して包装容器を製造する包装充填装置であって、
チューブ状包装材料内の該液面下であって該充填パイプ外周上に設けられた、プレシャーフランジを有し、該プレシャーフランジが、充填された該チューブ内の液体食品が下方から上方に自由に流動することを抑制して、該プレシャーフランジ下方の該チューブ内の液体食品の圧力を陽圧にし、該成形用フラップによる予備成形を容易にし、
該チューブ外周面と接触して、該プレシャーフランジと同じ位置若しくはその下方に設けられ、該チューブの振動を緩和若しくは抑制するチューブ振動緩和手段を有して、液体食品圧力の陰圧への下降を止めてチューブへの外部雰囲気物質の侵入を防止する、
ことを特徴とする包装充填装置。
【請求項２】
該チューブ振動緩和手段が、チューブを挟む様に対向する少なくとも１対の鼓形ローラであって、横シール及び予備成形による振動を緩和抑制する、請求項１記載の包装充填装置。
【請求項３】
該チューブ振動緩和手段が、チューブを挟む様に対向する少なくとも１対のローラであって、このローラが振動吸収材料からなる、請求項１記載の包装充填装置。
【発明の詳細な説明】
【技術分野】
【０００１】
この発明は、飲料などを充填して容器に包装する包装充填装置に関する。
【背景技術】
【０００２】
牛乳、ミネラルウォーター、茶、ジュース、スープ、アルコール類等の流動食品を収容する包装容器を製造する場合、ウェブ状（帯状）の包装積層材料が使用され、包装積層材料を次の包装積層材料に継ぎ目で継いで、該包装積層材料を連続的にヒートシール、超音波シール等によってシールされることにより、包装容器が形成される。例えば、包装充填装置において、包装積層材料を次の包装積層材料に継ぎ目で継いで、包装積層材料を連続的に包装材料の縁部にストリップを前もって接合し、包装積層材料をチューブ状に成形し、チューブの内側から、包装積層材料の重ね合わされた両縁部同士を、縦シール部の内側端面を保護するストリップと共に押し当てて縦シール装置によって長手方向（縦方向）にシールした後、チューブ状の包装積層材料の中に液体食品を充填しながら、横シール装置によって横方向にシールして切断し、枕状の原型容器を形成し、原型容器を更に所定の形状に成形して包装容器を完成させる。
【０００３】
図４は、包装充填装置の一例を示す概略斜視図である。ウェブ状の包装積層材料１は、リールの状態で包装充填装置に装填される。包装積層材料１は、紙基材、及び該紙基材の両面にポリエチレン樹脂が積層された可撓性の積層体から成り、必要に応じて紙基材とフィルムとの間にアルミニウム箔、ガスバリヤ性樹脂等から成るバリヤ層が形成され、包装容器１４の表面に相当する部分にあらかじめ外装用の印刷が施される。
【０００４】
繰り出された包装積層材料１は、搬送手段の送り装置によって連続的に搬送され、ベンディングローラ、ダンパローラ等を経て、ストリップ接合装置３に送られ、ストリップ接合装置によって包装積層材料１の一方の縁部に沿ってストリップ２が、次のストリップを継ぎ目で継ぎながら、連続的に接合される。
【０００５】
包装積層材料１は、必要に応じて、プルタブ接合装置によってプルタブが接合されている。包装積層材料１は、殺菌槽４に送られ、殺菌槽４において過酸化水素等の殺菌液によって殺菌される。包装積層材料１は、エアナイフ５に送られ、エアナイフ５によって乾燥させられた後、チューブ状包装材料内に液体食品を無菌雰囲気で充填することを保証する無菌室４０の室内に送られる。包装積層材料１は、成形リング６、その他の成形リングによって徐々に変形させられてチューブ状の形状にされる。
チューブ状包装積層材料１は、縦シール装置の予熱手段８からのホットエアーによって予熱されて、縦方向にシールされ、充填パイプ７の下端から流動性食品がチューブ状包装積層材料１内に充填される。
【０００６】
図５に、チューブ状包装材料内に充填パイプから液体食品を所定の液面レベルまで充填する形態の一例を示す。
充填パイプ７の垂直部分は、チューブ状包装材料１の内部に下方に挿入されている。上流側の部分は、制御弁３２に接続されている。充填パイプ７の垂直部分の外周囲には、円筒状のフロート３４が配置されている。液体食品に浮かんだフロート３４は、チューブ包装材料１と充填パイプ７の間にあって、充填パイプ７の垂直部分の外面に、上下方向に移動自在に嵌められている。フロート３４には、被検出手段（マグネット、発信器または、タグなど）が取付けられている。チューブ１の外部に検出器３１が配されている。検出器３１は、被検出手段との間の信号の強弱の変化を電流に変えて電気信号として出力する。所定レベル若しくはそれ以上では停止信号を、所定レベル以下であると開放信号をそれぞれ制御手段３３に出力する。すなわち、充填パイプ７の上流側部分には、流量制御弁３２が設けられており、流量制御弁３２は、制御手段３３により制御される。
液体の液面レベルが所定レベルに調整される。（参考特許文献１）
【０００７】
図４に示すように、チューブ状包装積層材料１は、下方に案内され、横シール装置１０に送られ、挟まれて横方向にシールされると共に、容器形状に成形され、横シールされた包装積層材料は、ナイフなどで切断されて枕状の予備成形容器１３が形成される。
【０００８】
図６に横シール装置１０の詳細一部断面図を示す。この態様では、液体食品が充填されたチューブ状包装材料１が、先ず、上側一対のシールジョー１０ａ及び対向ジョー１１により挟持される。包装容器１個分に相当する長さ分だけ下方に送られながら、上側一対の成形フラップ４１，４１により挟まれておおよその容器形状に成形される。横断方向に横シールして２本の横シール帯域を形成し、繋がった枕状予備成形体のシール帯域の中間をナイフ４２により切断して個々の枕状予備成形体１３に切り離す。
図６に示すこの態様では、高速に、横シール、予備成形及び切断を行うために、二対のシールジョー及び対向ジョー、並びに、成形フラップを備え、横シール、予備成形及び切断ステップを終えた一対は、横に退避し上方に戻り、次の横シール、予備成形及び切断ステップを繰返す。
【０００９】
図４に示すように、予備成形容器１３は、最終成形搬送装置１５によって搬送されて最終の形状に成形され、流動性食品を収容する包装容器１４が完成する。
【先行技術文献】
【特許文献】
【００１０】
【特許文献１】実開平１ー８２１０２号公報
【発明の概要】
【発明が解決しようとする課題】
【００１１】
上述の包装充填において、充填されたチューブ内の液体食品の圧力は、液面からの液体の深さに相当して陽圧である。包装材料を成形フラップで成形する際に、チューブ内の液体食品の圧力が陽圧であることによって、成形フラップの外圧と相俟って、包装材料を良好に成形することができる。
また、このような陽圧に維持されていることが、中身食品の衛生状態を維持する。すなわち、万が一に包装材料に僅かな傷、割れ目若しくはピンホールがあっても、この箇所から液体食品が外に出るだけであり、外部雰囲気物質の何らかが侵入しチューブ内の液体食品を汚染することがない。
【００１２】
本発明は、チューブ内の充填液体食品の圧力を陽圧に維持し、成形用フラップによる予備成形を容易にし、液体食品圧力の変動にって液体食品圧力が下がっても、陰圧へ下降することを防止して、チューブへ外部雰囲気物質が侵入することを防止することができる包装充填装置を提供することを目的とする。
【課題を解決するための手段】
【００１３】
この課題を解決するこの発明の包装充填装置は、ウェブ状包装材料に次のウェブ状包装材料を継ぎ目で継いでウェブ状包装材料を連続的に供給し、チューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域で切断して包装容器を製造する包装充填装置であって、
チューブ状包装材料内の液面下であって充填パイプ外周上に設けられた、プレシャーフランジを有し、プレシャーフランジが、充填されたチューブ内の液体食品が下方から上方に自由に流動することを抑制して、プレシャーフランジ下方のチューブ内の液体食品の圧力を陽圧にし、成形用フラップによる予備成形を容易にし、
チューブ外周面と接触して、プレシャーフランジと同じ位置若しくはその下方に設けられ、チューブの振動を緩和若しくは抑制するチューブ振動緩和手段を有して、液体食品圧力の陰圧への下降を止めてチューブへの外部雰囲気物質の侵入を防止する、
ことを特徴とする。
【００１４】
この発明の好ましい態様において、チューブ振動緩和手段が、チューブを挟む様に対向する少なくとも１対の鼓形ローラであって、横シール及び予備成形による振動を緩和抑制する。
【００１５】
この発明の更に好ましい態様において、チューブ振動緩和手段が、チューブを挟む様に対向する少なくとも１対のローラであって、このローラが振動吸収材料からなる。
【発明の効果】
【００１６】
以上の本発明によれば、以下の作用機能を発揮し、有利な効果が得られる。
この発明における包装充填装置は、ウェブ状包装材料をチューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域で切断して包装容器を製造する。
【００１７】
ウェブ状包装材料に次のウェブ状包装材料を継ぎ目で継いでウェブ状包装材料を供給されるので、ウェブ状包装材料の残量が少なくなっても、次のウェブ状包装材料を継ぎ目で継ぐので、停止することなく、連続的に包装充填することができる。
【００１８】
液体食品が充填されたウェブ状包装材料の液面下で横シールされるので、容器内に不要な空気等が残らず、品質保持に寄与する。
上述の包装充填において、充填されたチューブ内の液体食品の圧力は、液面からの液体の深さに相当して陽圧である。包装材料を成形フラップで成形する際に、陽圧であることによって良好に成形することができる。
【００１９】
この発明の特徴に於いて、チューブ状包装材料内の液面下であって充填パイプ外周上に設けられたプレシャーフランジを有する。
チューブ状包装材料が下方に送られながら、シールジョー及び対向ジョーにより急速に挟持され、また、一対の成形フラップにより急速に挟まれる際に、チューブ状包装材料の中身の液体が押出され、チューブ内の液体食品の圧力が急激に上昇して過剰な陽圧となる。この過剰な陽圧は、液面レベルを急激に上昇させ、不安定に揺れさせて、液面レベル制御を困難にする恐れがある。
すなわち、この過剰な陽圧は、液面レベルを急激に上昇させ、不安定に揺れさせて、例えば、図５に示すようなフロート３４が大きく上下させるおそがあり、その結果、制御手段３３による制御を困難にする恐れがある。
【００２０】
この発明において、プレシャーフランジが、充填されたチューブ内の液体食品が下方から上方に自由に流動することを抑制して、プレシャーフランジ下方のチューブ内の液体食品の圧力を十分に陽圧にし、成形用フラップによる予備成形をより容易にする。また、液体食品が下方から上方に逆流しても、その逆流を抑え、液面レベルの急激な上昇を抑えることができる。
例えば、図５に示すように、チューブ状包装材料１内の液面下であって充填パイプ１外周上にプレシャーフランジ３６を設ける。プレシャーフランジ３６は、プレシャーフランジ下方のシールジョー１０ａ及び対向ジョー１１により急速に挟持され、また、一対の成形フラップ（図５に図示せず）により急速に挟まれ液体食品が下方から上方に逆流しても、その逆流を抑え、液面レベルの急激な上昇を抑え、液体食品の圧力を十分な陽圧に保ることができる。
【００２１】
チューブ内の液体食品圧力の変動によって、プレシャーフランジ近傍で、充填されたチューブ内の液体食品の圧力が極めて低い陽圧若しくは陰圧になる恐れがある。
図２に、液体食品の充填パイプ７からの供給と、シールジョー及びカウンタージョー並びに成形用フラップとによる横シールにおける液体食品の流れ、動きの概念的な例を示す。チューブ状包装材料が矢印ｃの下方に送られながら、図２（Ａ）に示すように、シールジョー１０ａ及び対向ジョー１１並びに成形用フラップにより急速に挟持されると、チューブ状包装材料の中身の液体が押出され、チューブ内の液体食品の圧力が急激に上昇して矢印ａの方向に逆流しようとする。プレシャーフランジ３６はその逆流を抑え、成形に必要な陽圧に保つ。
【００２２】
チューブ内の液体食品の圧力は、プレシャーフランジ３６の存在に拘らず、チューブ内の液体食品全体に伝播するので、図２（Ｂ）に示すように、チューブ内の液体は、慣性によって、矢印ｅの方向に更に逆流しようとする。しかし、プレシャーフランジ３６の存在によって、フランジ下方から上方への液体移動が妨げられ、フランジ上方で液体量が不足し、不足量ｄが生じる。不足量ｄを仮想的に泡として図２（Ｂ）に図示する。その結果、充填されたチューブ内の液体食品の圧力が極めて低い陽圧若しくは陰圧になる恐れがある。上昇した液体は上記不足によって、急激に下降し、その結果、再度液体食品の圧力が高まる。このように、高低を繰り返して振動する。
【００２３】
図３は、包装充填装置の一例における、プレシャーフランジ上方の液体食品の圧力を示す縦軸と、横シール（シールジョーと対向ジョーとによる挟持）、予備成形及び切断ステップの一サイクルの時間経過を示す横軸との線図である。
シールジョー及び対向ジョー、並びに成形用フラップにより急速に挟持されると（矢印期間ｊ）、チューブ内の液体食品の圧力が急激に上昇する。図３のこれがピークh、ｉである。
チューブ内の液体食品の圧力は、チューブ内の液体食品全体に伝播し、チューブ内の液体は、慣性によって、上昇逆流しようとする。プレシャーフランジ３６の存在によって、フランジ下方から上方への液体移動が妨げられ、フランジ上方で液体量が不足し、プレシャーフランジ上方の液体食品の圧力が低くなる。これが谷ｇである。上昇した液体は上記不足によって、急激に下降し、その結果、再度液体食品の圧力が高まる。このように、高低を繰り返す。
【００２４】
引く続き、図２（Ｃ）に示すように、チューブ状包装材料１が矢印ｃの下方に送られ、チューブ状包装材料のプレシャーフランジ３６下方の位置の容積が増える。その増加分に相当する液体食品が充填パイプ出口７ａから供給されないと、プレシャーフランジ３６上方の液体から矢印ｂ（図２（Ｃ））の方向で供給されるはずであるが、プレシャーフランジ３６があるためにその供給が妨げられる。図２（Ｃ）に示すように、シールジョー１０ａ及び対向ジョー１１により引き下ろされると、チューブ状包装材料のプレシャーフランジ３６下方の位置の容積が急速に増え、液体食品の供給量が不足し、不足量ｄが生じる。不足量ｄを仮想的に泡として図２（Ｃ）に図示する。その結果、充填されたチューブ内の液体食品の圧力が極めて低い陽圧若しくは陰圧になる恐れがある。
【００２５】
図７は、包装充填装置の一例における、プレシャーフランジ下方の液体食品の圧力を示す縦軸と、横シール（シールジョーと対向ジョーとによる挟持）、予備成形及び切断ステップの一サイクルの時間経過を示す横軸との線図である。
シールジョー及び対向ジョー、並びに成形用フラップにより急速に挟持されると（矢印期間ｊ）、チューブ内の液体食品の圧力が急激に上昇する。（図７ピークh参照）
シールジョー及び対向ジョーにより引き下ろされると、チューブ状包装材料のプレシャーフランジ下方の位置の容積が急速に増え、液体食品の供給量が不足する。充填されたチューブ内の液体食品の圧力が極めて低い陽圧若しくは陰圧になる恐れがある。（図７ピークｇ参照）
【００２６】
この発明の特徴に於いて、チューブ外周面と接触して、プレシャーフランジと同じ位置若しくはその下方に設けられ、チューブの振動を緩和若しくは抑制するチューブ振動緩和手段を有する。
チューブ振動緩和手段の設置位置は、チューブ外周面と接触して、プレシャーフランジと同じ位置若しくはその下方の位置である。この位置によって、シールジョー及び対向ジョー並びに成形用フラップによる急速な挟持に起因する内部液体食品及び外側チューブの振動・パルス・衝撃が、効果的に的確にコントロール・抑制することができる。
シールジョー及び対向ジョー並びに成形用フラップが、液体食品が充填されたチューブ状包装材料を急速に挟持すると、その振動が液体食品及びチューブ状包装材料を介して伝播する。振動がプレシャーフランジに到達すると、プレシャーフランジとチューブとの間隙が広がり、プレシャーフランジの液体食品の下方から上方への流動抑制機能を阻害する恐れがある。
この阻害によって、液体食品が下方から上方に過度に流動して、液体食品圧力が陰圧へ下降する恐れがある。
また、逆に、プレシャーフランジとチューブとの間隙が振動より狭まり、プレシャーフランジ下方で液体食品の充填量が減少するときに、プレシャーフランジが液体食品の上方から下方への流動を更に抑制して、プレシャーフランジ下方で液体食品圧力が陰圧へ下降する恐れがある。
チューブ振動緩和手段は、上記の振動を緩和若しくは抑制して液体食品圧力の陰圧への下降を止めてチューブへの外部雰囲気物質の侵入を防止する。
【００２７】
この発明の好ましい態様において、チューブ振動緩和手段が、チューブを挟む様に対向する少なくとも１対の鼓形ローラであって、横シール及び予備成形による振動を緩和抑制する。
チューブ振動緩和手段のローラが鼓形であるので、チューブ外周面に広い範囲で接触し効果的に振動を低減して抑制することができ、一対のローラでチューブを挟む様に対向するので、一方のローラでチューブ外周面から離れても他方のローラで押さえるので振動を的確に緩和して低減することができる。
【００２８】
この発明の更に好ましい態様において、チューブ振動緩和手段が、チューブを挟む様に対向する少なくとも１対のローラであって、このローラが振動吸収材料からなる。
振動吸収材料であるので、弾性体（ゴム製）のローラ、スプリンで支持されたローラ等とすることができる。この振動吸収によって、振動を的確に緩和して低減することができる。
【００２９】
上述のように、チューブ振動緩和手段が、結果的に、液体食品圧力の変動による液体食品圧力の陰圧への下降を止めてチューブへの外部雰囲気物質の侵入を防止する。
縦シール帯域であって継ぎ目に生じた間隙若しくは間隙が生じる恐れがある部位があっても、この箇所から外部雰囲気物質、何らか（汚染物質）が侵入してチューブ内の液体食品を汚染することがなく、中身食品の衛生状態を維持する。
【００３０】
上述のように、本発明の包装充填装置によって、チューブ内の充填液体食品の圧力を陽圧に維持し、成形用フラップによる予備成形を容易にし、液体食品圧力の変動にって液体食品圧力が万が一に陰圧へ下降しても、チューブへ外部雰囲気物質が侵入することを防止することができる。
【図面の簡単な説明】
【００３１】
【図１】この発明による包装充填装置のチューブ振動緩和手段を説明する断面正面図及び部分横断面図である。
【図２】プレシャーフランジ付近の包装充填装置の動作を示す概略断面図である。
【図３】包装充填装置例における、プレシャーフランジ上方の液体食品の圧力を示す縦軸と、横シール（シールジョーと対向ジョーとによる挟持）、予備成形及び切断ステップの一サイクルの時間経過を示す横軸との線図である。
【図４】この発明に使用できる包装充填装置の一例を示す概略斜視図である。
【図５】包装充填装置の液面制御を説明する断面正面図である。
【図６】包装充填装置の横シール装置を説明する断面正面図である。
【図７】包装充填装置例における、プレシャーフランジ下方の液体食品の圧力を示す縦軸と、横シール（シールジョーと対向ジョーとによる挟持）、予備成形及び切断ステップの一サイクルの時間経過を示す横軸との線図である。
【発明を実施するための形態】
【００３２】
以下、本発明の実施の形態について図面を参照しながら詳細に説明する。
この実施形態による包装充填装置は、図４に示すように、ウェブ状包装材料１をチューブ状に成形し、包装材料の両端部でチューブの縦線方向に縦シールし、垂直に下方に搬送されるチューブ状包装材料内に充填パイプ７から液体食品を無菌室４０内で、図５に示すように、充填パイプ出口上方の所定位置の液面レベルまで充填し、図６に示すように、液面下でチューブ横断方向にシールジョー１０及びカウンタージョー１１でチューブ１を挟んで引き下ろす間に横シールし、チューブを同時に成形用フラップ４１、４１で挟んで予備成形し、横シール帯域でナイフ４２で切断して予備包装容器１３を得、最終成形装置１５で製品の液体食品充填容器１４を製造する。
【００３３】
図１に図示する包装充填装置の無菌室４０は、チャンバーに囲われた空間からなり、この空間が無菌エアによって満たされている。無菌室４０に、殺菌済ウェブ状包装材料１が搬送され、包装材料１がチューブ状に成形され、チューブ状包装材料１には、上部開口があり、また、充填パイプ７が無菌室へ入る。無菌エアは、無菌エア供給装置３９ｃに連通する送風口３８から吐出する。無菌エア供給装置３９ｃの送風圧力と、チューブ状包装材料１が下方に無菌室から出る箇所などの間隙４０ａとの関係から、すなわち、間隙４０ａの気密性を高め、送風圧力を強くすることで、無菌室内の雰囲気の圧力を高めることもできる。
【００３４】
この発明による包装充填装置の実施例のチューブ振動緩和手段５０を、図１（Ａ）（Ｂ）を参照して説明する。
充填パイプ７は、チューブ状包装材料１の内部に挿入されている。充填パイプ７の外周囲には、円筒状のフロート３４が配置されている。液体食品の液面３７に浮かんだフロート３４は、チューブ包装材料１と充填パイプ７の間にあって、充填パイプ７に、上下方向に移動自在に嵌められている。フロート３４の位置をチューブ１の外部の検出器３１が検知する。
【００３５】
この例に於いて、チューブ状包装材料１内の液面下であって充填パイプ７外周上に設けられた断面板状のプレッシャーフランジ３６を有する。なお、断面台形状のプレッシャーフランジであってもよい。プレッシャーフランジ下方のチューブ内の液体食品の圧力を十分に陽圧にし、成形用フラップによる予備成形をより容易にする。また、液体食品が下方から上方に逆流しても、その逆流を抑え、液面レベル３７の急激な上昇を抑えることができる。
【００３６】
この実施例の形態に於いて、チューブ外周面と接触して、プレシャーフランジ３６と同じ位置に設けられ、チューブ１の振動を緩和し抑制するチューブ振動緩和手段５０を有する。
チューブ振動緩和手段５０は、チューブ１外周面と接触して、プレシャーフランジ３６と同じ位置であって、シールジョー１０ａ及び対向ジョー１１並びに成形用フラップ（図示せず）による急速な挟持に起因する内部液体食品及び外側チューブの振動・パルス・衝撃が、効果的に的確にコントロール・抑制する。
シールジョー１０ａ及び対向ジョー１１並びに成形用フラップが、液体食品が充填されたチューブ状包装材料を急速に挟持すると、振動してプレシャーフランジまで到達すると、プレシャーフランジ３６とチューブ１との間隙が広がり、プレシャーフランジの機能を阻害して液体食品圧力が陰圧へ下降する恐れがある。
チューブ振動緩和手段５０は、振動を緩和若しくは抑制して液体食品圧力の陰圧への下降を止めてチューブへの外部雰囲気物質の侵入を防止する。
【００３７】
この実施例の形態において、チューブ振動緩和手段が、チューブを挟む様に対向する１対の鼓形ローラ５０、５０であって、横シール及び予備成形による振動を緩和抑制する。
図１（Ｂ）に示す様に、ローラ５０が鼓形であるので、チューブ１外周面に広い範囲で接触し効果的に振動を低減して抑制する。また、一対のローラ５０、５０でチューブ１を挟む様に対向するので、一方のローラ５０がチューブ１外周面から離れても他方のローラ５０で押さえるので振動を的確に緩和して低減する。
【００３８】
好ましい態様において、ローラが振動吸収材料からなり、弾性体（ゴム製）のローラとすることができる。この振動吸収によって、振動を的確に緩和して低減することができる。
【００３９】
上述のように、チューブ振動緩和手段５０が、液体食品圧力の変動による液体食品圧力の陰圧への下降を止めてチューブへの外部雰囲気物質の侵入を防止する。
縦シール帯域であって継ぎ目に生じた間隙若しくは間隙が生じる恐れがある部位があっても、この箇所から外部雰囲気物質、何らか（汚染物質）が侵入してチューブ内の液体食品を汚染することがなく、中身食品の衛生状態を維持する。
上記実施例では、図３及び図７に示す谷Ｇが、矢印の方向に２１％改善された。
【００４０】
なお、本発明は前記実施の形態に限定されるものではなく、本発明の趣旨に基づいて種々変形させることが可能であり、それらを本発明の範囲から排除するものではない。
【産業上の利用可能性】
【００４１】
この発明は、液体食品などを包装充填する包装容器の製造に適用することができる。
【符号の説明】
【００４２】
１・・・  チューブ状包装材料
７・・・  充填パイプ
３１・・・  液面レベル検知手段
３２・・・  供給手段
３３・・・  制御手段
３６・・・  プレッシャーフランジ
３７・・・  液面レベル
４０・・・  無菌室
５０・・・  チューブ振動緩和手段
【図１】
2010274971.tif 000003
【図２】
2010274971.tif 000004
【図３】
2010274971.tif 000005
【図４】
2010274971.tif 000006
【図５】
2010274971.tif 000007
【図６】
2010274971.tif 000008
【図７】
2010274971.tif 000009